(57)【要約】【課題】胸部分を覆うナプキンをつける場合であっても、ネックレスを掛けているように見せられるようにしたナプキン掛け具を提供することを目的とする。【解決手段】胸部分を覆うナプキン本体２を首から掛けられるようにしたナプキン掛け具３において、首を周回できるように構成されたチェーンやビーズなどを配列したループ部３０と、このループ部３０に着脱可能に設けられ、ナプキン本体の上端部分に留められるようにしたクリップ状の留め具３２とを有し、このクリップ状の留め具３２をナプキン本体２の上端部分に留めてナプキン本体２を首から掛けた際に、ループ部３０における留め具３２よりも下方側の下方ループ部３４をナプキン本体２の上面に位置させる。【選択図】図１
0003194540.tif 000002
【実用新案登録請求の範囲】
【請求項１】
胸部分を覆うナプキン本体を首から掛けられるようにしたナプキン掛け具において、
首を周回できるように構成されたループ部と、
当該ループ部に設けられ、ナプキン本体の上部を留めるようにした留め具とを有し、
当該留め具をナプキン本体の上部に留めてナプキン本体を首から掛けた際に、ループ部における留め具よりも下方部分をナプキン本体の上面に位置させるようにしたことを特徴とするナプキン掛け具。
【請求項２】
前記留め具が、ループ部に対して着脱可能に設けられるものであるナプキン掛け具。
【請求項３】
胸部分を覆うナプキン本体と、
当該ナプキン本体を首から掛けられるようにしたナプキン掛け具とを有し、
当該ナプキン掛け具を、
首を周回できるように構成されたループ部と、
当該ループ部に設けられ、ナプキン本体の上部を留めるようにした留め具とを設けて構成し、
当該留め具をナプキン本体の上部に留めてナプキン本体を首から掛けた際に、ループ部における留め具よりも下方部分をナプキン本体の上面に位置させるようにしたことを特徴とするナプキン。
【考案の詳細な説明】
【技術分野】
【０００１】
本考案は、胸当て付きのナプキンを首から掛けられるようにしたナプキン掛け具に関するものであり、より詳しくは、ナプキンの上からネックレスを掛けているかのように見せられるようにしたナプキン掛け具に関するものである。
【背景技術】
【０００２】
従来、胸元の汚れなどを防止するものとしてナプキンやエプロンなどがある。このうち、食事用のナプキンとしてはは、膝上もしくは胸元のどちらかを覆うようにした比較的小さな布などで構成されている。また、胸当て付きのエプロンは、胸部分を覆うようにした胸当部や、腰から大腿部を覆うようにしたスカート部などを設けて構成されており、胸当部の上端部に設けられた紐を首の後ろに回して結び付けるとともに、また、スカート部が設けられている場合は、左右に設けられた紐を腰の後ろで結ぶことで身体に密着させるようにしている。
【０００３】
ところで、このようなナプキンやエプロン（以下、まとめて「ナプキン」と称する）などを首から掛けられるようにする場合、通常は首掛紐で首の後ろから回して取り付けるようにしているが、これ以外に、例えば、下記の特許文献１などに、首の後ろから掛けられるようにした紐状の連結具や、その連結具の両端に設けられたクリップなどを設け、ハンカチやタオル、ナプキンなどをこのクリップに取り付けて首から掛けられるようにしたものが提案されている。
【先行技術文献】
【特許文献】
【０００４】
【特許文献１】実用新案登録第３１０３７５１号
【考案の概要】
【考案が解決しようとする課題】
【０００５】
しかしながら、これらのようなナプキンを首から掛けられるようにする場合、次のような問題がある。
【０００６】
すなわち、例えば、女性がネックレスなどを付けた状態でナプキンを使用する場合、そのネックレスが首掛紐やナプキンの胸当部の後ろ隠れてしまい、ネックレスを表側から見せることができなくなってしまう。これに対して、ナプキン本体の上からナプキンを掛けるようにすることもできるが、このようにすると、食事中に前かがみになった場合に、ネックレスが前に垂れ下がってしまい、食事の邪魔になってしまうという問題がある。
【０００７】
そこで、本考案は上記課題に着目してなされたもので、胸部分を覆うナプキンをつける場合であっても、食事の邪魔になるようなことなく、ネックレスを掛けているかのように見せられるようにしたナプキン掛け具を提供することを目的とする。
【課題を解決するための手段】
【０００８】
すなわち、本考案は上記課題を解決するために、胸部分を覆うナプキン本体を首から掛けられるようにしたナプキン掛け具において、首に掛けられるように構成されたループ部と、当該ループ部に取り付けられ、ナプキン本体を留めるようにした留め具とを有し、当該留め具をナプキン本体の上部に留めてナプキン本体を首から掛けた際に、ループ部における留め具よりも下方部分をナプキン本体の上面に位置させるようにしたものである。
【０００９】
このように構成すれば、ナプキン本体の上からネックレスを掛けているかのように見せることができ、しかも、留め具でナプキン本体を留めるようにしているため、前かがみになった場合であっても、大きくネックレスが前方に垂れ下がるようなことがなくなり、食事の邪魔になるようなことがない。なお、ここで「ナプキン」とは、食事中に使用されるナプキンのみならず、調理中や作業中に使用されるいわゆるエプロンなども含むものである。
【００１０】
また、このような考案において、前記留め具を、ループ部に対して着脱可能に設けるようにする。
【００１１】
このように構成すれば、留め具の位置を付け替えることによって胸当部の高さ位置を変更することができ、ユーザーの体型に合わせて使用することができるようになる。
【考案の効果】
【００１２】
本考案によれば、胸部分を覆うナプキン本体を首から掛けられるようにしたナプキン掛け具において、首に掛けられるように構成されたループ部と、当該ループ部に設けられ、ナプキン本体を留めるようにした留め具とを有し、当該留め具をナプキン本体の上部に留めてナプキン本体を首から掛けた際に、ループ部における留め具よりも下方部分をナプキン本体の上面に位置させるようにしたので、ナプキン本体の上からネックレスを掛けているかのように見せることができる。しかも、留め具でナプキン本体を留めるようにしているため、前かがみになった場合であっても、大きくネックレスが前方に垂れ下がるようなことがなくなって、食事の邪魔になるようなことがなくなる。
【図面の簡単な説明】
【００１３】
【図１】本考案の一実施の形態を示すナプキンを示す図
【図２】同形態におけるナプキン掛け具を示す図
【図３】同形態における胸当部が幅広く構成された状態においてナプキン掛け具を取り付けた状態図
【図４】同形態における他のナプキン掛け具を示す図
【考案を実施するための形態】
【００１４】
以下、本考案の一実施の形態について図面を参照して説明する。
【００１５】
この実施の形態におけるナプキン１は、図１に示すように、ネックレス状のナプキン掛け具３と、ナプキン本体２とを設けて構成されており、そのナプキン掛け具３を、ループ状に構成されたループ部３０と、そのループ部３０に着脱可能に取り付けられる留め具３２とを有するように構成している。そして、そのナプキン掛け具３の留め具３２を用いてナプキン本体２の上端部分２４を留めることで、あたかもナプキン本体２の上からネックレスを掛けているかのように見せられるようにしたものである。以下、本実施の形態について詳細に説明する。
【００１６】
まず、ナプキン本体２は、胸当部２１と腰より下方のスカート部２２とを有するように構成されており、胸当部２１を胸元部分に位置させて、食事の際に服が汚れないようにしている。通常、食事用ナプキンは、膝上もしくは胸元のどちらしか覆わないような比較的小さなもので構成されるが、このようなナプキンを着用すると、見た目もあまり美しくなく、同席者に違和感を生じさせてしまう場合がある。そのため、ここでは細長い形状のものであって、後述するナプキン掛け具３で首から掛けることによって、胸元から膝までを覆い、胸元から自然に裾広がりとなるようにして普通の洋服を着ているように見せられるようにしている。これらの胸当部２１やスカート部２２は、ナイロンや布などで一体的に構成されており、ナプキン掛け具３を用いてナプキン本体２を首から掛けることによって、胸当部２１を上半身に密着させ、スカート部２２の左右両側の腰紐２３を腰の後ろに回して結ぶことで、身体に密着させられるようにしている。
【００１７】
一方、このナプキン掛け具３は、図２に示すように、ループ状に構成されたループ部３０と、このループ部３０に着脱可能に取り付けられる複数の留め具３２とを設けて構成されており、全体としてアクセサリーをしているように見せるようにしている。
【００１８】
このループ部３０としては、金属製のチェーンや、あるいは、図４に示すようなビーズや石などを数珠状に配列したもの、もしくは、紐状のようなもので構成されている。そして、このループ部３０の任意の位置に留め具３２を取り付けられるようにする。
【００１９】
この留め具３２としては、フック状のものや紐状のものなど、ナプキン本体２の胸当部２１の上端部分２４に留められるようにしたものが用いられる。そして、この留め具３２の一端側を、ループ部３０を構成するチェーンの所定の位置に固定部３１を用いて着脱可能に固定するとともに、他端側をナプキン本体２の上端部分２４に取り付けられるようにする。なお、この実施の形態では、図２に示すように、クリップ状のものを用いて、胸当部２１の上端部分２４を保持させるようにしている。このように留め具３２をナプキン本体２に取り付けると、その部分でナプキン本体２が胸の位置で留められ、その下方に位置する下方ループ部３４がナプキン本体２の上面に位置するようになる。これによって、あたかもネックレスを掛けているるかのように見せることができる。
【００２０】
ところで、このようにループ部３０をナプキン本体２に取り付ける際、留め具３２の位置が左右に大きくかけ離れていると、ループ部３０の首周辺の曲率と留め具３２の下方の下方ループ部３４との曲率が大きく変わってしまい、不自然な状態でネックレスを掛けているように見せてしまう。一方、自然にループ部３０が垂れ下がっているかのように留め具３２を調整して取り付けると、今度は、ナプキン本体２の上端部分２４の左右両端部分を留めることができなくなり、図３に示すように、その両端のコーナー部分が前方に屈曲して見栄えの悪いものになってしまう可能性がある。そのため、好ましくは、図１に示すように、ナプキン本体２の上端部分２４を平均的な人間の首幅寸法の大きさに設定しておき、この上端部分２４の両端近傍に留め具３２を取り付けるようにすることで、上方部分３３と下方ループ部３４との曲率を連続的なものにして、自然にネックレスを掛けているかのように見せられるようにする。
【００２１】
そして、このようなナプキン１を使用する場合は、ナプキン本体２にあらかじめナプキン掛け具３を取り付けておき、これを頭から被るようにする。なお、このように頭から被るようにする場合、掛け具３の上方部分３３に頭を通すための空間を空けておかなければならず、自由度が低くなる。このため、ナプキン掛け具３をあらかじめ頭から通して首に掛けておき、その留め具３２にナプキン本体２を挟み込んで使用するようにしてもよい。このようにすると、留め具３２を高い位置に固定することで、ナプキン本体２で首元まで覆うことができるようになる。あるいは、ユーザーが既に所有している他のネックレスをあらかじめ着用してもらい、食事の際に、固定部３１をそのネックレスに取り付け、その後、その留め具３２にナプキン本体２を挟み込ませるようにすることもできる。
【００２２】
このように上記実施の形態によれば、胸当部２１を有するナプキン本体２を首から掛けられるようにしたナプキン掛け具において、首を周回できるように構成されたループ部３０と、当該ループ部３０に設けられ、ナプキン本体２の上部を留めるようにした留め具３２とを有し、当該留め具３２をナプキン本体２の上部に留めてナプキン本体２を首から掛けた際に、ループ部３０における留め具３２よりも下方の下方ループ部３４をナプキン本体２の上面に位置させるようにすれば、ナプキン本体２の上からネックレスをしているかのようにお洒落に見せることができるようになる。しかも、留め具３２でナプキン本体２を留めるようにしているため、前かがみになった場合であっても、大きくネックレスが前方に垂れ下がるようなことがなくなり、食事中にネックレスが前方に大きく垂れ下がって食事の邪魔になるようなことがなくなる。
【００２３】
また、このような留め具３２を、ループ部３０に対して着脱可能に設けるようにしたので、留め具３２の位置を付け替えて、ユーザーの体型に合わせて使用することができるようになる。また、留め具３２を取り外した際には、通常のネックレスとして使用することもできるようになる。あるいは、ユーザーが所有しているネックレスにこのｔ留め具３２を取り付けて使用することもできる。
【００２４】
なお、本考案は上記実施の形態に限定されることなく、種々の態様で実施することができる。
【００２５】
例えば、上記実施の形態では、ナプキン本体２として胸当部２１とスカート部２２を有するものを例に挙げて説明したが、胸当部２１のみを有するものにも適用することができる。
【００２６】
また、上記実施の形態では、留め具３２としてクリップ状のものを例に挙げて説明し、これをナプキン本体２の上端部分２４に挟み込めるようにしたが、フック状のものや、紐状の留め具を用いてもよい。このとき、フック状の留め具を用いる場合は、ナプキン本体２の上端部分２４に、この留め具を係止させるようなループ状の係止部を設け、これに引っ掛けるように留め具を取り付けるようにしてもよい。また、紐状の留め具を用いる場合は、この紐状の留め具と結び付けられ紐状のものをナプキン本体２側に設けるようにしてもよい。
【００２７】
また、上記実施の形態では、ナプキン本体２の上端部分２４の幅寸法を平均的な人間の首幅寸法として左右両端の屈曲を防止するようにしたが、幅寸法を大きくする場合は、ナプキン本体２の上端部分２４に可撓性のあるプラスチックワイヤーなどの線材を通しておき、これによって、ナプキン本体２の上端部分２４における左右両端部分が屈曲しないようにしてもよい。
【符号の説明】
【００２８】
１・・・ナプキン
２・・・ナプキン本体
２１・・・胸当部
２２・・・スカート部
２３・・・腰紐
２４・・・上端部分
３・・・ナプキン掛け具
３１・・・固定部
３２・・・留め具
３３・・・上方部分
３４・・・下方ループ部
【図１】
0003194540.tif 000003
【図２】
0003194540.tif 000004
【図３】
0003194540.tif 000005
【図４】
0003194540.tif 000006